(57)【要約】【課題】  ＣＴ試験の際に誘導電圧の発生を確実に防ぐことができる遮断器試験装置および遮断器試験方法を提供する。【解決手段】  遮断器１００が内部に備える変流器１５０に対して、アース線３３０を経て試験電流ｉ２を流す遮断器試験装置であって、環状コア２１と環状コア２１に巻かれた巻き線２２とを具備し、環状コア２１を貫通する電線に電流が流れたときに、電流に比べて小さな電流を巻き線２２から出力する変流器２０と、遮断器１００の試験用の電圧を変流器２０の巻き線２２に出力する装置本体１０とを備え、変流器２０の環状コア２１をアース線３３０が貫通する場合に、装置本体１０が試験用の電圧を変流器２０の巻き線２２に加えたとき、変流器２０は発生する電流を試験電流ｉ２としてアース線３３０に流す。【選択図】  図５
2010008226.tif 000002
【特許請求の範囲】
【請求項１】
遮断器が内部に備える内部変流器に対して、アース線を経て試験電流を流す遮断器試験装置であって、
環状コアと該環状コアに巻かれた巻き線とを具備し、該環状コアを貫通する電線に電流が流れたときに、該電流に比べて小さな電流を該巻き線から出力する変流器と、
前記遮断器の試験用の電圧を前記変流器の巻き線に出力する電源部と、
を備え、前記変流器の環状コアを前記アース線が貫通する場合に、前記電源部が試験用の電圧を該変流器の巻き線に加えたとき、該変流器は発生する電流を試験電流として該アース線に流すことを特徴とする遮断器試験装置。
【請求項２】
前記変流器の環状コアはギャップを持つことを特徴とする請求項１に記載の遮断器試験装置。
【請求項３】
前記電源部は、試験用の電圧を発生する電源と、電源の電圧を調整するための電圧調整器と、該電源と該電圧調整器との間を開閉するスイッチ回路とを備えることを特徴とする請求項１または２に記載の遮断器試験装置。
【請求項４】
二つの端子を具備すると共に該二つの端子が電線に取り付けられ、かつ、該二つの端子間を流れる電流を検出する内部変流器を具備する遮断器に、試験電流を流して該遮断器を試験するとき、請求項１〜３のいずれか１項に記載の遮断器試験装置を用いる遮断器試験方法であって、
アース線の先端がアースされているアースフックのフックを、前記遮断器の二つの端子に接続されている、停電された電線にそれぞれ引っ掛け、
前記電源部からの試験用の電圧を、前記アース線に装着されている前記環状コアの巻き線に加えて、該環状コアが装着されている該アース線に前記試験電流を流す、
ことを特徴とする遮断器試験方法。
【請求項５】
二つの端子を具備すると共に該二つの端子が三相用電線に取り付けられ、かつ、該二つの端子間を流れる電流を検出する内部変流器を具備する各遮断器に、試験電流を流して該各遮断器を試験するとき、請求項１〜３のいずれか１項に記載の遮断器試験装置を用いる遮断器試験方法であって、
アース線の先端がアースされているアースフックのフックを、前記各遮断器の二つの端子に接続されている、停電された電線にそれぞれ引っ掛け、
前記電源部からの試験用の電圧を、前記各アース線に装着されている前記環状コアの巻き線の直列回路に加えて、該各環状コアが装着されている該各アース線に前記試験電流を流す、
ことを特徴とする遮断器試験方法。
【発明の詳細な説明】
【技術分野】
【０００１】
この発明は、遮断器を試験するときに用いられる遮断器試験装置および遮断器試験方法に関する。
【背景技術】
【０００２】
遮断器は変電所や発電所等に設置されて用いられる。例えば変電所では、高圧送電線に短絡電流などが流れたとき、この電流を遮断器が遮断する。このために、遮断器は変流器（ＣＴ：Ｃｕｒｒｅｎｔ  Ｔｒａｎｓｆｏｒｍｅｒ）を内部に備え、高圧送電線に流れる電流を変流器で検出している。こうした遮断器には、図１０に示す遮断器がある。図１０の遮断器１００は、金属で作られて接地されている台部１１０を備え、台部１１０は本体ケース１２０を支持している。本体ケース１２０は、金属で作られた中空のケースであり、内部に遮断装置（図示を省略）を収納している。この遮断装置には、本体ケース１２０の上部に設けられているブッシング１３０１、１３０２の金属端子１３０１１、１３０１２を介在して送電線２００が接続されている。ブッシング１３０１、１３０２は送電線２００と本体ケース１２０とを絶縁し、金属端子１３０１１、１３０１２は、ブッシング１３０１、１３０２の内部に備えられている導体（図示を省略）を経て、送電線２００を遮断装置に接続している。
【０００３】
ブッシング１３０１、１３０２と本体ケース１２０との間には、中空の収納ケース１４０が取り付けられ、収納ケース１４０には変流器１５０が収納されている。変流器１５０は送電線２００を流れる電流を検出し、本体ケース１２０内の遮断装置は変流器１５０からの検出電流を基にして、送電線２００の間を遮断する。
【０００４】
こうした遮断器１００に対して、変流器１５０の試験（以下、「ＣＴ試験」という）を行う場合がある。ＣＴ試験では、変流器１５０の一次側に電流を流したときに二次側に発生する電流を、試験の担当者が確認する。ＣＴ試験には図１１に示すアースフック３００が用いられるときがある（例えば、特許文献１参照。）。アースフック３００は、絶縁体で作られた棒状の把持棒３１０と、把持棒３１０の先端に設けられた金属性のフック３２０と、フック３２０に接続されている導電性のアース線３３０とで構成されている。
【０００５】
ＣＴ試験には、二つのアースフック３００と試験装置４００とが用いられる。試験装置４００は電源４１０とスイッチ４２０と電圧調整器４３０とダウントランス４４０とを備えている。スイッチ４２０は、担当者の操作により、電源４１０からの交流電圧のオン・オフをする。スイッチ４２０がオンになっているとき、電圧調整器４３０は、担当者の操作により、電源４１０からの交流電圧のレベルを調整する。ダウントランス４４０は、レベル調整された交流電圧を降圧して、つまり、交流電流の値を大きくして出力する。これにより、ダウントランス４４０は、値の大きな試験用の交流電流（以下、「試験電流」という）をアース線３３０に流す。
【０００６】
ＣＴ試験を行う場合、まず、担当者は、アース線３３０の先端が接地端子に接続されているアースフック３００の把持棒３１０を手に持って、遮断器１００の金属端子１３０１１側の送電線２００にフック３２０を引っ掛ける。これにより、遮断器１００の一方の金属端子１３０１１側が接地される。担当者は、遮断器１００の金属端子１３０１２側の送電線２００についても、この接地作業を行う。次に、担当者は、試験装置４００が備えるダウントランス４４０の一方の出力側をアースする。この後、他方のアースフック３００のアース線３３０を接地端子から外し、このアース線３３０をダウントランス４４０の他方の出力側に接続すると、遮断器１００の他方の金属端子１３０１２側が試験装置４００に接続される。
【０００７】
これにより、図１２に示すように、試験電流が流れる流路Ｆ４００が形成される。流路Ｆ４００は、試験装置４００から、他方のアースフック３００のアース線３３０、遮断器１００の金属端子１３０１２、二つの変流器１５０、遮断器１００の金属端子１３０１１、一方のアースフック３００のアース線３３０、アースを経て試験装置４００に至る電流の経路である。
【０００８】
この後、担当者は、試験装置４００のスイッチ４２０をオンにし、電圧調整器４３０を調整して、試験用の交流電流を流路Ｆ４００に流す。これにより、遮断器１００が備える変流器１５０の一次側に、試験電流が流れる。そして、担当者は、遮断器１００の変流器１５０の二次側に流れる電流を測定することにより、ＣＴ試験を行う。
【特許文献１】特開２００２−１５２９３５号公報
【発明の開示】
【発明が解決しようとする課題】
【０００９】
ところで、送電線２００に接続されている遮断器１００のＣＴ試験を行う場合、送電線２００は停電するが、図１３に示すように、送電線２００の周囲にある送電線２１０による誘導電圧が、送電線２００に発生する。このために、ヒューマンエラーによって、例えば一方のアースフック３００のフック３２０が外れたとき、また、遮断器１００が切り状態になったとき、試験装置４００が接続されている他方のアースフック３００のアース線３３０に、高圧の誘導電圧が発生する。この高電圧によって、試験装置４００の破損等が生じる。
【００１０】
さらに、図１４に示すように、赤相、白相、青相の三相交流用の送電線に接続されている遮断器１００をタスキ掛けに接続して、三つの遮断器１００がそれぞれ備える変流器のＣＴ試験をする場合がある。この場合に、担当者は、青相側の遮断器１００のアースが浮かないようにして、各遮断器１００の接続を変更する必要がある。つまり、三相交流用の三つの遮断器１００に対してアースが一点であり、このアースが浮かないようにして、各遮断器１００の接続を変更する。このために、接続変更の作業が複雑になり、ヒューマンエラーで誘導電圧の発生する可能性がさらに高くなる。
【００１１】
この発明の目的は、前記の課題を解決し、ＣＴ試験の際に誘導電圧の発生を確実に防ぐことができる遮断器試験装置および遮断器試験方法を提供することにある。
【課題を解決するための手段】
【００１２】
前記の課題を解決するために、請求項１の発明は、遮断器が内部に備える内部変流器に対して、アース線を経て試験電流を流す遮断器試験装置であって、環状コアと該環状コアに巻かれた巻き線とを具備し、該環状コアを貫通する電線に電流が流れたときに、該電流に比べて小さな電流を該巻き線から出力する変流器と、前記遮断器の試験用の電圧を前記変流器の巻き線に出力する電源部と、を備え、前記変流器の環状コアを前記アース線が貫通する場合に、前記電源部が試験用の電圧を該変流器の巻き線に加えたとき、該変流器は発生する電流を試験電流として該アース線に流すことを特徴とする遮断器試験装置である。
【００１３】
請求項１の発明では、従来の試験装置が備えるダウントランスに対応して、変流器を用いる。つまり、環状コアを貫通する電線に電流が流れたときに、この電流に比べて小さな電流を巻き線から出力するという変流器の特性を利用し、遮断器に試験電流を流すアース線が変流器の環状コアを貫通する場合に、電源部から試験用の電圧が変流器の巻き線に加えられる。これにより、変流器は、巻き線に流れる電流に比べて値の大きな電流を発生し、この大きな電流を試験電流としてアース線に流す。
【００１４】
請求項２の発明は、請求項１に記載の遮断器試験装置において、前記変流器の環状コアはギャップを持つことを特徴とする。
【００１５】
請求項３の発明は、請求項１または２に記載の遮断器試験装置において、前記電源部は、試験用の電圧を発生する電源と、電源の電圧を調整するための電圧調整器と、該電源と該電圧調整器との間を開閉するスイッチ回路とを備えることを特徴とする。
【００１６】
請求項４の発明は、二つの端子を具備すると共に該二つの端子が電線に取り付けられ、かつ、該二つの端子間を流れる電流を検出する内部変流器を具備する遮断器に、試験電流を流して該遮断器を試験するとき、請求項１〜３のいずれか１項に記載の遮断器試験装置を用いる遮断器試験方法であって、アース線の先端がアースされているアースフックのフックを、前記遮断器の二つの端子に接続されている、停電された電線にそれぞれ引っ掛け、前記電源部からの試験用の電圧を、前記アース線に装着されている前記環状コアの巻き線に加えて、該環状コアが装着されている該アース線に前記試験電流を流す、ことを特徴とする遮断器試験方法である。
【００１７】
請求項５の発明は、二つの端子を具備すると共に該二つの端子が三相用電線に取り付けられ、かつ、該二つの端子間を流れる電流を検出する内部変流器を具備する各遮断器に、試験電流を流して該各遮断器を試験するとき、請求項１〜３のいずれか１項に記載の遮断器試験装置を用いる遮断器試験方法であって、アース線の先端がアースされているアースフックのフックを、前記各遮断器の二つの端子に接続されている、停電された電線にそれぞれ引っ掛け、前記電源部からの試験用の電圧を、前記各アース線に装着されている前記環状コアの巻き線の直列回路に加えて、該各環状コアが装着されている該各アース線に前記試験電流を流す、ことを特徴とする遮断器試験方法である。
【発明の効果】
【００１８】
請求項１の発明によれば、変流器の巻き線に試験用の電圧を加える。この場合、環状コアを貫通する電線に電流が流れたときに、変流器の特性を利用して、環状コアを貫通するアース線に大きな値の試験電流を流す。この結果、従来のようにアース線をアースから浮かせた状態で、このアース線に試験電流を流す場合に比べて、アース線を電源部に接続する作業を不要にすることができる。これにより、アース線は常に接地されているので、変流器が接続されている電線の周囲にある別の電線による誘導電圧が、アース線に生じることを防ぐことができる。
【００１９】
請求項２の発明によれば、環状コアにはギャップが設けられているので、このギャップを利用して、アース線を環状コアに容易に貫通させることができる。
【００２０】
請求項３の発明によれば、電源部が電源とスイッチ回路と電圧調整器とから成る構成であるのに対して、従来はこの構成にダウントランスが必要であった。つまり、この発明によれば、ダウントランスに対応する変流器を電源部から分けて、電源部と変流器の二点構成としている。これにより、電源部を軽量化することができ、従来に比べると、搬送等に際しての装置の取り扱いを容易にしている。
【００２１】
請求項４の発明により、遮断器の各端子に接続されている電線に、接地されたアース線をそれぞれ接続して、試験電流の流路を形成する。この後、アース線に装着されている環状コアの巻き線に、電源部からの試験用の電圧を加える。この結果、両方のアース線がアースされているので、片方のアースが浮いたり、遮断器が切りになっても、電線の周囲にある別の電線による誘導電圧が、環状コアが装着されているアース線に発生することを防ぐことができる。
【００２２】
請求項５の発明により、三相交流に応じて遮断器が三つある場合でも、各遮断器の端子に接続されている電線に、接地されたアース線を接続して、試験電流の流路をそれぞれ形成する。この後、各アース線に装着されていると共に直列に接続されている、三つの環状コアの巻き線に、電源部からの試験用の電圧を加える。各遮断器では流路の両方のアース線がアースされているので、片方のアースが浮いたり、遮断器が切りになっても、電線の周囲にある別の電線による誘導電圧が、環状コアが装着されている各アース線に発生することを防ぐことができる。
【発明を実施するための最良の形態】
【００２３】
次に、この発明の実施の形態について、図面を用いて詳しく説明する。
【００２４】
（実施の形態１）
この実施の形態による遮断器試験装置を図１に示す。なお、図１を含む以下の説明で用いる図の中で、先に説明した図１１と同一もしくは同一と見なされる構成要素には、それと同じ参照符号を付けて、その説明を省略する。図１の遮断器試験装置１は、アースフック３００と共にＣＴ試験に用いられるものであり、装置本体１０と変流器２０とで構成されている。
【００２５】
装置本体１０は、ＣＴ試験の際に試験電流を変流器２０に流すための装置であり、電源１１とスイッチ回路１２と電圧調整器１３とを備えている。
【００２６】
装置本体１０の電源１１は試験用の交流電圧を出力する。スイッチ回路１２は、ＣＴ試験の際に担当者によってオン・オフをされる開閉器である。スイッチ回路１２は、スイッチ１２Ａ、１２Ｂから成り、スイッチ１２Ａとスイッチ１２Ｂとは連動してオン・オフ動作をする。スイッチ回路１２のオン動作により、スイッチ回路１２は電源１１からの試験用の交流電圧を電圧調整器１３に加える。電圧調整器１３は、担当者の操作によって、スイッチ回路１２を経た電源１１からの交流電圧のレベルを、ＣＴ試験に適した値に調整する。そして、電圧調整器１３は、レベル調整された試験用の交流電圧を変流器２０に加える。これにより、変流器２０には試験電流ｉ１が流れる。
【００２７】
こうした構造の装置本体１０では、電源１１とスイッチ回路１２と電圧調整器１３とが収納ケース（図示を省略）等に収納されている。これにより、装置本体１０は試験現場に持ち運び可能である。
【００２８】
変流器２０は環状コア２１と巻き線２２とを備えた貫通型の変成器である。環状コア２１は磁性体で作られた環状の鉄心である。環状コア２１には、ギャップ２１Ａが設けられている。ギャップ２１Ａは、径方向に空けられた隙間であり、例えば巻き線２２の取り付けを容易にする。ギャップ２１Ａにより、アースフック３００のアース線３３０を環状コア２１に通して、環状コア２１をアース線３３０に装着することも容易になる。巻き線２２は環状コア２１に巻きつけられているコイルである。巻き線２２には、装置本体１０からの試験用の交流電圧による試験電流ｉ１が流れる。
【００２９】
変流器２０は、一般的に次のようにして用いられる。例えば測定器を用いて、電線に流れる電流を測定する場合に、電線に流れる電流の値が大きいために、測定器では電流を測定できないときがある。このようなときに、変流比に応じて小さな値の電流を流すという特性を持つ変流器２０が用いられる。例えば、図２に示すように、電線５１０に流れる電流つまり一次電流ｉ１０１を検出するとき、変流器２０は、変流比に応じた二次電流ｉ１０２を発生して測定器５２０に流す。変流比は一次電流ｉ１０１と二次電流ｉ１０２との比を表す。例えば、変流器２０の変流比が１００／２であると、
一次電流ｉ１０１＝２００［Ａ］
であるときに、二次電流ｉ１０２は、
二次電流ｉ１０２＝２００×（２／１００）＝４［Ａ］
となる。
【００３０】
変流器２０は、このように、変流比に応じて、大きな一次電流ｉ１０１を小さな二次電流ｉ１０２に変換する特性を持つが、この実施の形態では、逆に、小さな電流を大きな電流に変換するために、変流器２０の特性を利用している。つまり、変流器２０は、試験電流ｉ１を大きな電流に変換して、大きな値の試験電流ｉ２をアース線３３０に流す。例えば、変流比が１００／２であると、値の小さい試験電流ｉ１が、
試験電流ｉ１＝２［Ａ］
であるときに、大きな値の試験電流ｉ２は、
試験電流ｉ２＝２×（１００／２）＝１００［Ａ］
となる。
【００３１】
つまり、変流器２０は、従来の試験装置４００が備えるダウントランス４４０の代わりとして用いられている。こうした変流器２０は、環状コア２１と巻き線２２とから成るので、装置本体１０と共に試験現場に持ち運び可能である。
【００３２】
この実施の形態による遮断器試験装置１は以上の構造である。次に、この遮断器試験装置１を用いた遮断器試験方法について説明する。
【００３３】
遮断器１００に対してＣＴ試験を行う場合に、送電線２００を停電した後、担当者は、図３に示すように、二つのアースフック３００を用い、各アースフック３００が備えるアース線３３０の先端を接地端子に接続する。接地端子はアースされている端子であるので、アース線３３０は常にアースされる。アース線３３０の先端の接続が終了すると、担当者は、把持棒３１０を握り、各アースフック３００のフック３２０を送電線２００に引っ掛けて、遮断器１００の両方のブッシング１３０１、１３０２に設けられている金属端子１３０１１、１３０１２側をアースする。
【００３４】
これにより、図４に示すように、アースから、他方のアースフック３００のアース線３３０、遮断器１００の金属端子１３０１２、二つの変流器１５０、遮断器１００の金属端子１３０１１、一方のアースフック３００のアース線３３０を経てアースに至る、試験電流ｉ２の流路Ｆ１０が形成される。
【００３５】
次に、図５に示すように、担当者は、遮断器１００の金属端子１３０１２側のアース線３３０に遮断器試験装置１をセットする。つまり、担当者は、遮断器試験装置１の変流器２０の環状コア２１をアース線３３０に装着する。このとき、担当者は、環状コア２１のギャップ２１Ａを通して、環状コア２１をアース線３３０に装着するので、アース線３３０の先端を接地端子つまりアースから外す必要がない。この後、担当者は、変流器２０の巻き線２２を装置本体１０に接続する。
【００３６】
変流器２０の接続が終了すると、担当者は、装置本体１０を操作して、試験電流ｉ１を変流器２０に流す。つまり、スイッチ回路１２をオンにし、電圧調整器１３を調整する。これにより、レベルの調整された試験用の交流電圧を、装置本体１０が変流器２０の巻き線２２に加えるので、試験電流ｉ１が変流器２０の巻き線２２に流れる。変流器２０は、変流比に応じて、試験電流ｉ１の値を大きくした試験電流ｉ２を、流路Ｆ１０に流す。これにより、遮断器１００が備える変流器１５０の一次側に、試験電流ｉ２が流れる。そして、担当者は、遮断器１００の変流器１５０の二次側に流れる電流を測定することにより、ＣＴ試験を行う。
【００３７】
こうして、この実施の形態によれば、両方のアース線３３０を接地して試験電流ｉ２の流路Ｆ１０を形成した後で、遮断器試験装置１をアース線３３０に装着する。このとき、接地端子からアース線３３０を外すことがないので、両方のアースフック３００のアース線３３０がアースされている状態が保たれる。つまり、一相の交流に対してアースが二点となる。これにより、ヒューマンエラーでアースが浮いたり、遮断器１００が切りになっても、残りの一点がアースされている。この結果、図６に示すように、送電線２００の周囲にある別の送電線２１０が原因となる誘導電圧が、遮断器試験装置１の取り付けられているアース線３３０に発生することを防ぐことができる。
【００３８】
具体的には、遮断器１００の金属端子１３０１１側のアースフック３００が外れ、またはアースが浮いても、遮断器１００の金属端子１３０１２側のアース線３３０がアースされているので、このアース線３３０、つまり、遮断器試験装置１が取り付けられているアース線３３０に誘導電圧が発生することを防ぐことができる。また、遮断器１００が切り状態になっても、遮断器１００の金属端子１３０１２側のアース線３３０がアースされているので、遮断器試験装置１が取り付けられているアース線３３０に、誘導電圧が発生することを防ぐことができる。さらに、遮断器試験装置１が取り付けられているアース線３３０のアースが浮いても、遮断器１００の金属端子１３０１１側のアース線３３０がアースされているので、遮断器試験装置１が取り付けられているアース線３３０に誘導電圧が発生することを防ぐことができる。
【００３９】
また、この実施の形態によれば、変流器２０の環状コア２１にはギャップ２１Ａが設けられているので、ギャップ２１Ａを利用して、接地されているアース線３３０に環状コア２１を装着する作業が容易である。
【００４０】
さらに、この実施の形態によれば、遮断器試験装置１は装置本体１０と変流器２０とから成る二点の構成であるので、従来のダウントランス４４０を含む試験装置４００、つまり、重量のある試験装置４００を取り扱う場合に比べて、遮断器試験装置１の保管や搬送等が容易である。
【００４１】
（実施の形態２）
この実施の形態では、赤相、白相、青相の三相交流用の送電線に接続されている遮断器１００に対して、ＣＴ試験を行うために、実施の形態１による遮断器試験装置１を用いる場合を例としている。この実施の形態では、赤相、白相、青相の三相交流用の送電線に接続されている遮断器１００を試験対象としているので、遮断器試験装置１の変流器２０を三つ用いる。そして、図７に示すように、赤相の送電線に接続されている遮断器１００１の変流器（図示を省略）と、白相の送電線に接続されている遮断器１００２の変流器（図示を省略）と、青相の送電線に接続されている遮断器１００３の変流器（図示を省略）とに対して、担当者がＣＴ試験を行う。なお、遮断器１００１〜１００３は、図３の遮断器１００と同じものである。
【００４２】
赤相、白相、青相の三相交流用の遮断器１００１〜１００３に対してＣＴ試験を行う場合に、赤相の送電線、白相の送電線および青相の送電線を停電した後、担当者は、実施の形態１と同様に、赤相の送電線に用いられるアースフック３３０のアース線３３０１１およびアース線３３０１２、白相の送電線に用いられるアースフック３３０のアース線３３０２１およびアース線３３０２２、青相の送電線に用いられるアースフック３００のアース線３３０３１およびアース線３３０３２を用いて、遮断器１００１〜１００３の各金属端子１３０１１、１３０１２をアースする。
【００４３】
これにより、実施の形態１と同じように、赤相の遮断器１００１を含む試験電流ｉ２の流路と、白相の遮断器１００２を含む試験電流ｉ２の流路と、青相の遮断器１００３を含む試験電流ｉ２の流路とが別々に形成される。
【００４４】
次に、担当者は、変流器２０１の巻き線２２１と、変流器２０２の巻き線２２２と、変流器２０３の巻き線２２３とを直列に接続する。変流器２０１〜２０３は、実施の形態１の変流器２０と同じものである。この後、担当者は、実施の形態１と同じようにして、アース線３３０１２、アース線３３０２２およびアース線３３０３２に対して、変流器２０１〜２０３のギャップ２１Ａ１〜ギャップ２１Ａ３を利用して、環状コア２１１〜２１３を装着する。このとき、アース線３３０１２、アース線３３０２２およびアース線３３０３２から接地端子を外すことがないので、アース線３３０１２、アース線３３０２２およびアース線３３０３２がアースされている状態が保たれる。この後、担当者は、変流器２０１〜２０３の巻き線２２１〜２２３の直列回路の両端を、装置本体１０に接続する。
【００４５】
変流器２０１〜２０３の装着を終了すると、担当者は、実施の形態１と同じようにして、装置本体１０を操作して、レベルの調整された試験用の交流電圧を変流器２０１〜２０３の巻き線２２１〜２２３に加えるので、試験電流ｉ１が巻き線２２１〜２２３に流れる。変流器２０１〜２０３は、変流比に応じて、試験電流ｉ１の値を大きくした試験電流ｉ２を遮断器１００１〜１００３に流す。これにより、遮断器１００１〜１００３が備える変流器（図示を省略）の一次側に、試験電流ｉ２がそれぞれ流れる。そして、担当者は、遮断器１００１〜１００３の変流器の二次側に流れる電流をそれぞれ測定することにより、ＣＴ試験を行う。
【００４６】
こうして、この実施の形態によれば、実施の形態１と同じように、赤相の遮断器１００１を含む試験電流ｉ２の流路と、白相の遮断器１００２を含む試験電流ｉ２の流路と、青相の遮断器１００３を含む試験電流ｉ２の流路とを別々に形成し、変流器２０１〜２０３の環状コア２１１〜２１３をアース線３３０１２、アース線３３０２２およびアース線３３０３２に装着する。これにより、実施の形態１と同じように、遮断器１００１〜１００３の周囲にある別の送電線により誘導電圧が発生しても、アース線３３０１２、アース線３３０２２およびアース線３３０３２に誘導電圧が発生することを防ぐことができる。
【００４７】
（実施の形態３）
この実施の形態では、実施の形態１で使用された変流器２０の代わりに、図８に示す分割型の変流器３０を用いる。変流器３０は、分割リング３１、３２と、開閉部３３と、ロック部３４と、巻き線３５とで構成されている。
【００４８】
変流器３０の分割リング３１、３２は、断面形状が円形または四角形をした半円形の磁性体である。分割リング３１は分割リング３２と共に実施の形態１の環状コア２１を形成する。
【００４９】
開閉部３３は、開閉部分３３Ａ、３３Ｂと軸３３Ｃとから成る。開閉部分３３Ａは分割リング３１の一端部に取り付けられ、開閉部分３３Ｂは分割リング３２の一端部に取り付けられている。そして、開閉部分３３Ａと開閉部分３３Ｂとの組み合わせ部分に、軸３３Ｃが挿入されている。これにより、開閉部分３３Ａが開閉部分３３Ｂに対して開閉する。つまり、分割リング３１が分割リング３２に対して開閉する。
【００５０】
ロック部３４は、ロック片３４Ａと、ロック部分３４Ｂとから成る。ロック片３４Ａは分割リング３１の他端部に取り付けられ、ロック部分３４Ｂは分割リング３２の他端部に取り付けられている。そして、ロック片３４Ａがロック部分３４Ｂに挿入されると、ロック部分３４Ｂはロック片３４Ａを挟んで、抜けないようにロックをする。なお、ロック部分３４Ｂに設けられている解除ボタン（図示を省略）が操作されると、ロック部分３４Ｂは、挟んで固定していたロック片３４Ａを放して、ロックを解除する。
【００５１】
巻き線３５は分割リング３１に設けられている。巻き線３５は実施の形態１の巻き線２２と同様である。
【００５２】
こうした構造の変流器３０を用いると、アースフック３００のアース線３３０に対して、変流器３０が次のようにして装着される。まず、ロック部３４によるロックを解除した状態で、分割リング３１と分割リング３２とを開き、アース線３３０を挟む。この後、開いている分割リング３１と分割リング３２とを閉じると、ロック部３４により分割リング３１と分割リング３２とがロックされて、実施の形態１の環状コア２１が形成される。つまり、アース線３３０が変流器３０を貫通した状態になる。この後、実施の形態１と同じようにして、変流器３０をＣＴ試験に用いる。
【００５３】
こうして、この実施の形態によれば、変流器３０の分割リング３１と分割リング３２とが開閉するので、アース線３３０に対する変流器３０の装着作業を容易にすることができる。
【００５４】
（実施の形態４）
この実施の形態では、実施の形態１で使用された変流器２０の代わりに、図９に示す変流器４０を用いる。変流器４０は、環状コア４１と巻き線４２とで構成されている。
【００５５】
変流器４０の環状コア４１は磁性体で作られたリング状の鉄心である。実施の形態１で使用された変流器２０では、環状コア２１にギャップ２１Ａが設けられていたが、この実施の形態では環状コア４１にギャップが設けられていない。
【００５６】
巻き線４２は、実施の形態１の変流器２０の巻き線２２と同じである。
【００５７】
こうした変流器４０を使用するときには、前もってアース線３３０を環状コア２１に通してから、装置本体１０に対する接続等を行う。また、環状コア２１をアース線３３０に固定しておいてもよい。
【００５８】
この実施の形態によれば、環状コア４１にギャップが形成されていないので、環状コア４１の透磁率が低下することがなく、実施の形態１で使用された変流器２０の環状コア２１に比べて、環状コア４１を小型にすることができる。
【００５９】
以上、この発明の各実施の形態を詳述してきたが、具体的な構成は各実施の形態に限られるものではなく、この発明の要旨を逸脱しない範囲の設計の変更等があっても、この発明に含まれる。例えば、遮断器は図３の遮断器１００に限定されることなく、各種の遮断器にこの発明が適用可能である。
【図面の簡単な説明】
【００６０】
【図１】実施の形態１による遮断器試験装置を示す図である。
【図２】変流器を説明する図である。
【図３】実施の形態１による遮断器試験装置を用いた遮断器試験方法を説明する図である。
【図４】試験電流の流路を示す図である。
【図５】遮断器試験装置の取り付けを説明する図である。
【図６】誘導電圧の発生を示す図である。
【図７】実施の形態２による遮断器試験方法を説明する図である。
【図８】実施の形態３で用いられる分割型の変流器を示す平面図である。
【図９】実施の形態４で用いられる変流器を示す平面図である。
【図１０】遮断器の一例を示す斜視図である。
【図１１】ＣＴ試験の様子を説明する図である。
【図１２】試験電流の流路を示す図である。
【図１３】誘導電圧の発生を示す図である。
【図１４】三相交流用の送電線に接続されている遮断器に対するＣＴ試験の様子を説明する図である。
【符号の説明】
【００６１】
１０  装置本体（電源部）
１１  電源
１２  スイッチ回路
１３  電圧調整器
２０〜４０  変流器
２１  環状コア
２２  巻き線
１００  遮断器
１３０１、１３０２  ブッシング
１３０１１、１３０１２  金属端子
１４０  収納ケース
１５０  変流器（内部変流器）
【図１】
2010008226.tif 000003
【図２】
2010008226.tif 000004
【図３】
2010008226.tif 000005
【図４】
2010008226.tif 000006
【図５】
2010008226.tif 000007
【図６】
2010008226.tif 000008
【図７】
2010008226.tif 000009
【図８】
2010008226.tif 000010
【図９】
2010008226.tif 000011
【図１０】
2010008226.tif 000012
【図１１】
2010008226.tif 000013
【図１２】
2010008226.tif 000014
【図１３】
2010008226.tif 000015
【図１４】
2010008226.tif 000016